(57)【特許請求の範囲】
【請求項１】
前後２体で１組の畳を載置したステージが垂直方向へ迫り上げられて二つ折り自在に連結されると共に、水平方向へ展開自在にされてなる二つ折れステージ装置の複数組を、少なくとも前後方向に連結して多重折れに構成された柔道用ステージ装置において、
前記畳の裏面に面状ファスナーの片方が貼着されるとともに、ステージの表面に当該面状ファスナーの他方が前記片方と対応する位置に貼着され、
前記ステージが二つ折れにされた際の該ステージの谷側の縁部に畳滑落防止用の滑落防止部材が設けられていること、
を特徴とする柔道用ステージ装置。
【請求項２】
ステージと該ステージを支持するステージ底桁との当接面に、振動吸収用の緩衝材が介在されていること、
を特徴とする請求項１に記載の柔道用ステージ装置。
【請求項３】
滑落防止部材は、ステージ脚にアーム後端部が軸着されアーム先端部で畳を受ける畳受けアームと、該畳受けアームに片端部が軸着され他端部がステージの二つ折りの際に揺動する連結リンクに軸着された揺動レバーとからなり、ステージの二つ折り動作に連動して当該ステージの谷側の縁部に出没自在にされていること、
を特徴とする請求項１または２に記載の柔道用ステージ装置。
【請求項４】
二つ折りにされ壁際部分に収納されたステージを、壁際部分に固着されたフックに係合してロックさせるロック部材が前記ステージに設けられていること、
を特徴とする請求項１または２に記載の柔道用ステージ装置。
【発明の詳細な説明】
【０００１】
【発明の属する技術分野】
本発明は、畳を載置ステージが２体で１組の二つ折れステージ装置の複数組を連結した場合に、それをフロア上で円滑に展開させたり、或いは、それを二つ折れして多重に折り畳むことで、壁際部分等へのコンパクトな格納を可能とする柔道用ステージ装置に関する。
【０００２】
【従来の技術】
従来、特公平７−２１２５８号公報、特公平７−１１６８５５号公報、特許第２５２１５２８号公報、特許第２５４９５６１号公報、特許第２５４９５６２号公報等によって、ステージ脚を折り畳み自在とする比較的脚の長い高床タイプと、ステージ脚の比較的短い低床タイプに属する「折り畳み式電動ステージ装置」が知られている。
【０００３】
即ち、前後２体で１組のステージを、垂直方向へ迫り上げて二つ折り自在に連結すると共に、水平方向へ展開自在に構成してなり、それを二つ折れ自在に連結した作動リンクと、当該作動リンクを駆動させる電動モータにより、二つ折れステージのフロア上での展開と壁面等への折り畳み格納に対処したステージ装置である。
【０００４】
前記二つ折れステージ装置において、前後ステージの表面に、予め柔道畳を敷き並べて取り付け、当該二つ折れステージ装置を柔道用の専用ステージとすることができ、柔道畳の敷設作業や撤去作業等を繰り返す必要性がなく、頗る利便である。
【０００５】
よって、体育館の壁際部分等に前記仕様の二つ折れステージ装置を構成しておけば、スペースに限りのある体育館等を有効利用することができる。
【０００６】
【発明が解決しようとする課題】
しかしながら、前記の多重折れステージ装置におけるステージフロアに、柔道畳を現実に敷設するに際して、当該ステージ本体のステージ厚みが数センチメートル〜１０センチメートルを越えるようなステージ厚を必要とする。
かかるステージ厚のある二つ折れステージの複数組を、連結ヒンジで連結する構造では、その機能を発揮できないおそれがある。
【０００７】
即ち、比較的ステージ厚みのある二つ折れステージの複数組が、仮に突き合わせ状態で展開配置してある場合を想定した場合、当該二つ折れステージを迫り上げて二つ折れ状態に立ち上げようとするも、谷折れ部となる突き合わせ部分が持ち上げようとしたり、或いは、一方のステージ端部が他方のステージ端部に噛み込もうとする現象が起き、円滑に作動させることが困難となるばかりでなく、ステージに両面粘着テープ等で貼着された畳が、繰り返しの振動等で接着力が低下して二つ折れにした垂直なステージ表面から滑落するおそれがある。
このように、従来のステージ装置には、畳を敷設しておくことに解決しなければならない課題を有している。
【０００８】
【課題を解決するための手段】
上記の課題を解決するための本発明に係る柔道用ステージ装置の要旨は、前後２体で１組の畳を載置したステージが垂直方向へ迫り上げられて二つ折り自在に連結されると共に、水平方向へ展開自在にされてなる二つ折れステージ装置の複数組を、少なくとも前後方向に連結して多重折れに構成された柔道用ステージ装置において、前記畳の裏面に面状ファスナーの片方が貼着されるとともに、ステージの表面に当該面状ファスナーの他方が前記片方と対応する位置に貼着され、前記ステージが二つ折れにされた際の該ステージの谷側の縁部に畳滑落防止用の滑落防止部材が設けられていることである。
【０００９】
前記ステージと該ステージを支持するステージ底桁との当接面に、振動吸収用の緩衝材が介在されていること、；前記滑落防止部材は、ステージ脚にアーム後端部が軸着されアーム先端部で畳を受ける畳受けアームと、該畳受けアームに片端部が軸着され他端部がステージの二つ折りの際に揺動する連結リンクに軸着された揺動レバーとからなり、ステージの二つ折り動作に連動して当該ステージの谷側の縁部に出没自在にされていること、；更に、安全のために、二つ折りにされ壁際部分に収納されたステージを、壁際部分に固着されたフックに係合してロックさせるロック部材が前記ステージに設けられていることである。
【００１０】
本発明に係る柔道用ステージ装置によれば、面状ファスナーによって畳とステージとが強力に貼着され、畳のズレが防止されると共に、ステージを壁側に引き寄せて二つ折りにした際、ステージ谷側の縁部の滑落防止部材によって畳の滑落が防止され、安全性が確保されるものである。また、ロック部材により確実に安全性が高められる。
【００１１】
【発明の実施の形態】
以下、ステージ脚を折り畳み自在とする比較的脚の長い高床タイプの二つ折り柔道用ステージ装置Ｘ１、Ｘ２の複数組、具体的には、その２組を前後方向に連結し、これを屋内の壁際部分Ｋに立ち上げて多重折れ状態に格納可能とする柔道用ステージ装置を、図１〜図６に示す第１実施例に基づいて説明する。
尚、説明の便宜上、図４〜図６の右方の壁際部分Ｋを前部とし、左方を後部として説明する。
【００１２】
先ず、二つ折れ柔道用ステージ装置Ｘ１、Ｘ２の単体の基本的な構成は、特公平７−２１２５８号公報、特公平７−１１６８５５号公報、特許第２５２１５２８号公報、特許第２５４９５６１号公報、特許第２５４９５６２号公報に示す折り畳み式電動ステージ装置とほぼ同様であるが、その構成の概要を添付図面に従って説明すると、前部側の柔道用ステージ装置Ｘ１（以下、便宜上、第１ステージ装置という）の場合には、前後２体で１組の前ステージＳ１（柔道畳６枚分）と後ステージＳ２（柔道畳６枚分）を、また、後部側の柔道用ステージ装置Ｘ２（以下、第２ステージという）の場合には、前後２体で１組の前ステージＳ３と後ステージＳ４を、それぞれ垂直方向へ迫り上げて二つ折り自在に連結すると共に、水平方向へ展開自在に構成している。
【００１３】
また、前記第１ステージ装置Ｘ１における前後ステージＳ１、Ｓ２と、第２ステージ装置Ｘ２における前後ステージＳ３、Ｓ４には、柔道畳Ｔが図１に示すように敷設して面状ファスナーによって貼着されている。
【００１４】
この柔道畳Ｔの貼着方法は、図２に示すように、該畳Ｔの裏面に面状ファスナーの片方Ｔ1，Ｔ2が、その幅を約５０ｍｍにして両面粘着テープで貼着されている。この両面粘着テープは、剪断強度が２０Ｋｇｆで６．２８Ｎ／ｃｍ2以上で、剥離強度が３９０ｇｆで０．６３Ｎ／ｃｍ以上（ＪＩＳ−Ｌ−３４１６−１９８８試験方法による）である。
【００１５】
一方、ステージＳの表面には、前記面状ファスナーの片方に対応した位置に、、面状ファスナーの他方が両面粘着テープで貼着されている。この両面粘着テープ及び面状ファスナーによる耐力は、図示した程度の貼着面積で柔道畳Ｔが垂直に立てられてもステージＳから剥がれない強度に対して十分にあり、面状ファスナーをＴ１，Ｔ２と方向及び間隔を定めることにより畳の取り替え等のメンテナンスも容易にできる。
【００１６】
また、図３に示すように、前記ステージＳとこれを支持するステージ底桁５との当接面には、緩衝材としてのウレタンシート（２ｍｍ厚程度）１４が介在されている。これによって、ステージＳの金属衝撃音を吸収するものであり、受身の際の感覚を損なわないように配慮している。
【００１７】
次に、ステージＳの二つ折りの機構について説明する。前記第１ステージ装置Ｘ１の前後ステージＳ１、Ｓ２と、第２ステージ装置Ｘ２の前後ステージＳ３、Ｓ４の裏側の前後奥行き方向の略中央寄りの位置には、正逆回転自在な電動モータＭ１〜Ｍ４が幅方向に多数取り付けられ、そのモータ出力軸にはスイングアームＡ１〜Ａ４の基端部がそれぞれ固定されている。
【００１８】
また、第１ステージ装置Ｘ１に対向させたスイングアームＡ１、Ａ２の先端部と、第２ステージ装置Ｘ２に対向させたスイングアームＡ３、Ａ４の先端部を、それぞれ二つ折れ自在に枢着している。
【００１９】
また、前記第１ステージ装置Ｘ１と第２ステージ装置Ｘ２の底部に並設したステージ底桁５には、その前後奥行き方向と左右幅方向にステージ脚７の取付金具６が設けられ、当該取付金具６にステージ脚７の上端部が折り畳み可能に枢設されている。
【００２０】
また、ステージ脚７，７の下端部には、連結リンクＬ１、Ｌ２、Ｌ３、Ｌ４が前後奥行き方向に差し渡され、左右１組のステージ脚７の左右幅方向に差し渡した連結軸２４により、各ステージ脚７と連結リンクＬ１〜Ｌ４とを枢支している。
【００２１】
そのうち、第１ステージ装置Ｘ１における前ステージＳ１の最前列のステージ脚７Ａを除く、第１ステージ装置Ｘ１の後ステージＳ２における最後列のステージ脚７Ｂと、第２ステージ装置Ｘ２の前ステージＳ３における最前列のステージ脚７Ｃと、後ステージＳ４における最後列のステージ脚７Ｄの下端部には、それぞれ車輪ホルダ８Ｂ〜８Ｄが設けられ、これらの車輪ホルダ８Ｂ〜８Ｄには、屋内床面Ｆ上を転動する車輪９が前後に隔てて軸着されている。
【００２２】
また、第１ステージ装置Ｘ１における前後ステージＳ１、Ｓ２におけるステージ脚７、即ち、その最前列のステージ脚７Ａと最後列のステージ脚７Ｂを除くステージ脚７の下端部には、展開した第１ステージ装置Ｘ１を水平状態に保持すべく高さ調節自在な調節脚１０（調節パッドでも可）が設けらている。
【００２３】
また、第２ステージ装置Ｘ２における前後ステージＳ３、Ｓ４におけるステージ脚７、即ち、その最前列のステージ脚７Ｃと最後列のステージ脚７Ｄを除くステージ脚７の下端部には、当該第２ステージ装置Ｘ２を展開状態のまま前後方向へ転動可能な車輪１１が設けられている。
【００２４】
尚、前ステージＳ１における最前列のステージ脚７Ａの下端部は、収納箇所の床面Ｆに固定され、柔道用ステージ装置が、当該部所に位置固定されて多重に折り畳み格納するようにしているが、このステージ脚７Ａの下端部にも、前記と同様な車輪付き車輪ホルダを構成することで、当該柔道用ステージ装置を適宜箇所へ移動自在とすることもできる。
【００２５】
符号１２はステージ脚７の補強プレートを示し、左右に隣り合うステージ脚７，７に差し渡されて固定されている。符号１３は第２ステージ装置Ｘ２における最後列の車輪ホルダ８Ｄの後面に取り付けた連結プレートを示し、柔道用ステージ装置の床下部をカバーし、また、第２ステージ装置Ｘ２における後ステージＳ４の最後列のステージ脚７Ｄの振れ止めやフレーム強度の増強等に対処している。
【００２６】
次に、柔道用ステージ装置における谷折れ部の下部構造を、図７の要部拡大斜視図に基づいて説明する。
符号２１は連結リンクＬ２の後端部に起立形成したステーを示し、通常、連結リンクＬ２の後端部にステー２１の基端部が溶接やボルト・ナット等で固定される。
【００２７】
符号２２はリンク又はロッド、或いは、幅間距離を調整自在なターンバックル等の連結部材を示し、その一端部が前記ステー２１の上端部に左右幅方向に差し渡した連結軸２３に貫挿支持され、また、その基端部をステージ脚７Ｃと連結リンクＬ３の前端部とに連結すべく、左右幅方向に差し渡した連結軸２４に貫挿支持されている。
【００２８】
符号２５は帯状プレートの左右両側に鍔縁を下向きに折曲形成したスライドガイドを示し、ステージ脚７Ｃの車輪ホルダ８Ｃの天井部に、当該スライドガイド２５の基端部がピン２６で固定され、その自由端部がステージ脚７Ｂの車輪ホルダ８Ｂの天井部を貫通し、当該車輪ホルダ８Ｂの天井部の左右両側位置に設けたガイドローラ２７と、車輪ホルダ８Ｂの中間上方部に軸着したガイドローラ２８とに案内されて、前後方向にスライドするように構成されている。
【００２９】
これにより、第１ステージ装置Ｘ１と第２ステージ装置Ｘ２の谷折れ部の床下部に構成した車輪ホルダ８Ｂ、８Ｃに対する左右方向の位置ずれが規制され、柔道用ステージ装置の展開作動時と格納作動時における作動の円滑性と確実性を維持する。
【００３０】
尚、図１，図４〜図６において、連結部材２２や連結リンクＬ１〜Ｌ４等をステージ脚７Ｂ、７Ｃの外側位置に構成した状態で図示したが、これは構成を理解し易くするために描出したにすぎず、実際は、ステージ脚７Ｂ、７Ｃの内側位置に構成されることになる。
【００３１】
前記柔道用ステージ装置における、各ステージ脚７のうちステージＳの谷折れ側に位置するステージ脚（例えば、ステージ脚７Ａ，７Ｂ，７Ｃ，７Ｄ）には、図８に示すように、滑落防止部材１５が設けられている。
【００３２】
前記滑落防止部材１５は、一例としてステージ脚７Ｄにおける構造を代表させて説明すると、アーム後端部がステージ脚７Ｄに軸着され、アーム先端部が略垂直に起立されたステージＳと柔道畳Ｔとの下端面を支持するように形成された畳受けアーム１５ａがある。
【００３３】
更に、前記畳受けアーム１５ａの略中間部に片端部が軸着され、他端部が連結リンクＬ４の略下部側に軸着された揺動レバー１５ｂがある。前記畳受けアーム１５ａは、連結リンクＬ４が水平状態のときにはアーム先端部が車輪ホルダ８Ｄ寄りに下方に位置して退避されており、二つ折り作用によってステージＳが略垂直に起立させられるに従って、連結リンクＬ４の立ち上がりと共に揺動レバー１５ｂによってアーム先端部がアーム後端部の軸を中心にして回転し、折り畳み終了時に略水平状態になる。
【００３４】
このように、ステージＳの二つ折り作用により、滑落防止部材１５が出没自在にされている。なお、滑落防止部材１５を、ボルト・ナットによりステージＳに着脱自在にして、手動で取り付けることを妨げるものではなく、当該滑落防止部材１５の高さを畳の厚さに考慮した高さにすることにより、常時ステージに取り付けられたものとするこもできる。
【００３５】
また、第２ステージＸ２における後ステージＳ４の左右方向の外側端面には、図５に示すように、ロック部材として、先端に鉤状部を有した長い棒状の収納ロックバー１６が回動自在に軸着して取り付けられている。これは、図６に示すように、柔道用ステージ装置を壁際部分Ｋに収納したときに、フック１７に前記収納ロックバー１６を係止させて、ステージＳが移動しないようにして、安全性をより高めるものである。
【００３６】
以上のように構成された柔道用ステージ装置を使用すれば、図４に示すように、体育館や屋内武道場等の床面Ｆ上に水平状態に展開配置された柔道用ステージ装置を、屋内の壁際部分Ｋに格納するには、先ず、第１ステージ装置Ｘ１の電動モータＭ１、Ｍ２を起動して、その出力軸を超微速で矢印方向へ回転せしめる。
【００３７】
すると、第１ステージ装置Ｘ１におけるスイングアームＡ１、Ａ２の先端部分をそれぞれ下方へ押し下げながら、電動モータＭ１、Ｍ２とＭ３、Ｍ４の出力軸間の軸間距離を水平方向に狭めようとする駆動力が働き、それにより前ステージＳ１の後半部と後ステージＳ２の前半部を鉛直上方へ徐々に押し上げて跳ね上げる力として作用する。
【００３８】
その結果、前後ステージＳ１、Ｓ２及び各柔道畳Ｔの突き合わせ部分が鉛直上方へ迫り上がり始める。それに伴って後ステージＳ２の最後列のステージ脚７Ｂの車輪ホルダ８Ｂに軸着した車輪９が、床面Ｆ上を壁際部分Ｋへ向かって前進移動し始める。
【００３９】
また、第１ステージ装置Ｘ１の後ステージＳ２における連結リンクＬ２の後端部に起立させたステー２１が、第２ステージ装置Ｘ２の前ステージＳ３における連結リンクＬ３の前端部に連結部材２２を介して連結されているので、当該連結リンクＬ２の垂直方向への揺動により、ステー２１も同角度で回転して連結部材２２を介して連結リンクＬ３を後方に押し出す。
【００４０】
よって、前後ステージＳ１，Ｓ２の二つ折れ動作により、後ステージＳ２が傾斜されるとともに、該後ステージＳ２と第２ステージ装置Ｘ２の前ステージＳ３との突き合わせ部分の間隔が次第に広くなって離間され、これによって、谷折れ部となる突き合わせ部分の衝突や噛み込み等の不都合が解消されるものである。
【００４１】
更に、第１ステージ装置Ｘ１が、図４に示すように、迫り上げられ二つ折れされて壁際部分Ｋに格納されるまでの間、第２ステージ装置Ｘ２は展開状態のまま、連結部材２２に引っ張られ第１ステージ装置Ｘ１の二つ折れ作動に従動してフロアＦ上を前進移動する。
【００４２】
次に、第２ステージ装置Ｘ２の電動モータＭ３、Ｍ４が起動し、その出力軸を図４の矢印方向へ回動する。すると、第２ステージ装置Ｘ２における前後ステージＳ３、Ｓ４の突き合わせ部分を鉛直上方へ、図５に示すように迫り上げられながら、第１ステージ装置Ｘ１に向かって引き込まれる。
【００４３】
これにより、第１ステージ装置Ｘ１と第２ステージ装置Ｘ２からなる柔道用ステージ装置は、図６に示すように、壁際部分Ｋに多重折れ状態で格納される。また、同時に、ステージＳの谷側に位置するステージ脚７に設けられた前記滑落防止部材１５も作動し、連結リンクＬ１〜Ｌ４の揺動によって、各ステージＳと柔道畳Ｔの下部に位置して受け材となるように畳受けアーム１５ａが回転し略水平状態になる。
【００４４】
こうして柔道畳Ｔの滑落が防止され安全性が確保される。更に、収納ロックバー１６により、ステージＳが地震等の振動で不意に移動しないようにロックすることで安全性が確保される。
【００４５】
尚、柔道用ステージ装置の第１ステージ装置Ｘ１と第２ステージ装置Ｘ２における前後ステージＳ１〜Ｓ４の床下部にリンク構成したステージ脚７、７Ａ〜７Ｄは、図４〜図６に示すように鉛直状態を維持したまま、前後ステージＳ１〜Ｓ４の二つ折れ作動に伴って平行移動し、上方へ引き上げられながら徐々に折り畳まれる。
【００４６】
次に、壁際部分Ｋに鉛直状態に多重折れ格納された第１ステージ装置Ｘ１と第２ステージ装置Ｘ２を、壁際部分Ｋから後方の床面Ｆ上へ水平状態に展開配置して、図９に示す状態にするには、前記とは逆に、先ず、収納ロックバー１６をフック１７から外して、後ステージＳ４の側面にまで回転させて取り付けておく。そして、第２ステージ装置Ｘ２における電動モータＭ３、Ｍ４を、二つ折りさせる方向とは逆方向に起動して、その出力軸を逆転せしめる。
【００４７】
すると、この出力軸を駆動支点とするスイングアームＡ３、Ａ４をスイングさせようとする力の反作用として、当該スイングアームＡ３、Ａ４の下端部の連結部を支点として、逆に、電動モータＭ３、Ｍ４の出力軸の部分を押し広げるように徐々にスイングする力として作用する。
【００４８】
その結果、後ステージＳ４における最前列のステージ脚７Ｄの車輪ホルダ８Ｄに軸着した車輪９が、緩やかに転動して後方へ押し出される。また、前後ステージＳ３、Ｓ４の間に折り畳まれたステージ脚７Ｃ、７Ｄ、７が鉛直状態を維持したまま、徐々に展開される。
【００４９】
また、前記ステージ脚７の展開と同時に、連結リンクＬ４，Ｌ３が略垂直状態から水平状態へと揺動し、それに伴って揺動レバー１５ｂを介して畳受けアーム１５ａが、反時計方向に回転して略垂直状態であったステージＳ及び柔道畳Ｔの下端面に向き合う水平状態から斜め下方に退避される。
【００５０】
よって、柔道畳Ｔを水平状態で使用している際には、滑落防止部材１５が下方に退避されているので、競技する上での安全性が確保されるものである。
これにて図４に示すように、第２ステージ装置Ｘ２における前後ステージＳ３、Ｓ４を水平方向へ突き合わせた状態にして床面Ｆ上に展開せしめられる。
【００５１】
次いで、第１ステージ装置Ｘ１の電動モータＭ１、Ｍ２を逆転作動させると、後ステージＳ２の下端部が壁側部分Ｋから押し出し作動すると共に、展開状態の第２ステージ装置Ｘ２を後方へ押し出しながら拡開作動する。同時に、ステージ脚７Ａ，７Ｂにおける滑落防止部材１５も、連結リンクＬ１，Ｌ２の揺動に伴ってそれぞれ退避状態にされる。
【００５２】
そして、連結リンクＬ２の水平方向への揺動動作により、これと一体に起立されたステー２１が略垂直状態に立ち上がり、連結部材２２を介して第２ステージ装置Ｘ２を後方へ押すと同時に、前方へ引き寄せ、前ステージＳ３と後ステージＳ２と、及びこれらの各柔道畳Ｔ，Ｔとの突き合わせ部分を隙間無くゆっくりと当接させる。
【００５３】
これにより、第１ステージ装置Ｘ１と第２ステージ装置Ｘ２からなる柔道用ステージ装置は、図１や図９に示すように、水平状態に展開配置され、ステージの組合せにより大会用の配置も効率的にできる。
【００５４】
このように、柔道畳Ｔを貼着した状態のステージＳを二つ折れに収納，展開させることができ、重量の重い（約１８ｋｇ）柔道畳Ｔを一つ一つ片づける手間が省けるようになったものである。また、ステージＳとステージ底桁５との当接面にはウレタンシート１４が介在されていることから、競技中の振動音が抑えられるものである。
【００５５】
【発明の効果】
本発明に係る柔道用ステージ装置は、前後２体で１組の畳を載置したステージが垂直方向へ迫り上げられて二つ折り自在に連結されると共に、水平方向へ展開自在にされてなる二つ折れステージ装置の複数組を、少なくとも前後方向に連結して多重折れに構成された柔道用ステージ装置において、前記畳の裏面に面状ファスナーの片方が貼着されるとともに、ステージの表面に当該面状ファスナーの他方が前記片方と対応する位置に貼着され、前記ステージが二つ折れにされた際の該ステージの谷側の縁部に畳滑落防止用の滑落防止部材が設けられているので、ステージに柔道畳が貼着された状態で壁際に収納・水平に添加させることができるようになり、柔道場の設置が容易となって手間が掛からず、収納状態においても滑落防止部材があることで安全性が確保されるという優れた効果を奏するものである。
【００５６】
前記ステージと該ステージを支持するステージ底桁との当接面に、振動吸収用の緩衝材が介在されているので、柔道競技における振動音をよく吸収し、騒音の発生を抑えることが出来るという優れた効果を奏するものである。
【００５７】
前記滑落防止部材は、ステージ脚にアーム後端部が軸着されアーム先端部で畳を受ける畳受けアームと、該畳受けアームに片端部が軸着され他端部がステージの二つ折りの際に揺動する連結リンクに軸着された揺動レバーとからなり、ステージの二つ折り動作に連動して当該ステージの谷側の縁部に出没自在にされているので、自動的に畳受けアームに畳滑落防止作用させることが出来るという優れた効果を奏するものである。
【００５８】
また、二つ折りにされ壁際部分に収納されたステージを、壁際部分に固着されたフックに係合してロックさせるロック部材が前記ステージに設けられているので、壁際部分に収納したステージが移動しないようにされ、安全性が高まるという優れた効果を奏するものである。
【図面の簡単な説明】
【図１】本発明に係る柔道用ステージ装置の全体概要を示す斜視図である。
【図２】同本発明に係る柔道用ステージ装置における柔道畳Ｔの裏面図である。
【図３】同本発明に係る柔道用ステージ装置における、ステージとステージ底桁との構成を示す一部斜視図である。
【図４】同本発明に係る柔道用ステージ装置の第１ステージ装置を壁際部分に格納する途中の側面図である。
【図５】同本発明に係る柔道用ステージ装置の第２ステージ装置を壁際部分に格納する途中の側面図である。
【図６】同本発明に係る柔道用ステージ装置を壁際部分に格納した状態の側面図である。
【図７】同本発明に係る柔道用ステージ装置の第１ステージ装置と第２ステージ装置とにおける谷折れ部の要部を示す拡大斜視図である。
【図８】同本発明に係る柔道用ステージ装置における、滑落防止部材の構成を示す側面図である。
【図９】  同本発明に係る柔道用ステージ装置を水平方向に展開させた状態の平面図である。
【符号の説明】
Ｘ１  前部側のステージ装置（第１ステージ装置）、
Ｘ２  後部側のステージ装置（第２ステージ装置）、
Ｓ１〜Ｓ４  前後ステージ、Ｆ  床面、Ｋ  壁際部分、
Ｍ１〜Ｍ４  電動モータ、Ａ１〜Ａ４  スイングアーム、
Ｌ１〜Ｌ４  連結リンク、Ｔ  柔道畳、Ｔ1，Ｔ2  面状ファスナー、
５  ステージ底桁、６  取付金具、７  ステージ脚、
１４  ウレタンシート、１５  滑落防止部材、１５ａ  畳受けアーム、
１５ｂ  揺動レバー、１６  収納ロクレバー、１７  フック、
２１  ステー、２２連結部材、２３，２４  連結軸。
【図１】
0003887476.tif 000002
【図２】
0003887476.tif 000003
【図３】
0003887476.tif 000004
【図４】
0003887476.tif 000005
【図５】
0003887476.tif 000006
【図６】
0003887476.tif 000007
【図７】
0003887476.tif 000008
【図８】
0003887476.tif 000009
【図９】
0003887476.tif 000010